(57)【要約】【課題】ノズルの進退方向における位置調整範囲を広げつつ装置のコンパクト化を図る。【解決手段】人体の局部を洗浄する局部洗浄装置であって、内周面に螺旋溝を有し、先端および後端が開口した円筒状の回転体と、回転体に同軸に設けられた回転ギヤと、回転ギヤを回転させるモータと、回転体の外周面を覆って回転体を回転自在に支持するケースと、回転体の内部に設けられ、洗浄水を噴出可能な噴出口が形成された本体部を有すると共に螺旋溝に嵌合する嵌合部を有し、回転体の回転に伴って進退移動が可能なノズルと、ケースに対して固定され、回転体の後端側から洗浄水を導入する導入部と、回転体の内部を通って導入部に接続されると共にノズルの本体部に接続され、導入部により導入された洗浄水を噴出口に供給可能な供給部と、を備え、供給部は、ノズルの進退移動に伴って伸縮するように構成されている。【選択図】図１１
2019190264.tif 000002
【特許請求の範囲】
【請求項１】
人体の局部を洗浄する局部洗浄装置であって、
内周面に螺旋溝を有し、先端および後端が開口した円筒状の回転体と、
前記回転体に該回転体と同軸に設けられた回転ギヤと、
前記回転ギヤを回転させるモータと、
前記回転体の外周面を覆って該回転体を回転自在に支持するケースと、
前記回転体の内部に設けられ、洗浄水を噴出可能な噴出口が形成された本体部を有すると共に前記螺旋溝に嵌合する嵌合部を有し、前記回転体の回転に伴って進退移動が可能なノズルと、
前記ケースに対して固定され、前記回転体の後端側から洗浄水を導入する導入部と、
前記回転体の内部を通って前記導入部に接続されると共に前記ノズルの本体部に接続され、前記導入部により導入された洗浄水を前記噴出口に供給可能な供給部と、
を備え、
前記供給部は、前記ノズルの進退移動に伴って伸縮するように構成されている
局部洗浄装置。
【請求項２】
請求項１に記載の局部洗浄装置であって、
前記供給部は、異なる径に形成され互いに重なり合うように軸方向に相対移動可能な２つのパイプである
局部洗浄装置。
【請求項３】
請求項２に記載の局部洗浄装置であって、
前記ノズルは、複数種類の前記噴出口が形成され、
前記供給部は、複数種類の前記噴出口のそれぞれに洗浄水を供給可能となるように、前記２つのパイプを１組として平行に配置された複数組のパイプである
局部洗浄装置。
【請求項４】
請求項２または３のいずれか１項に記載の局部洗浄装置であって、
前記２つのパイプのうち大径のパイプの内周面と小径のパイプの外周面との間に配置された環状のシール部材を備える
局部洗浄装置。
【請求項５】
請求項１に記載の局部洗浄装置であって、
前記供給部は、螺旋状に巻回された可撓性のホースである
局部洗浄装置。
【請求項６】
請求項１ないし５のいずれか１項に記載の局部洗浄装置であって、
前記ノズルの外周面と摺接可能な内径に形成され、前記回転体の先端に取り付けられた環状のスポンジ部材を備える
局部洗浄装置。
【請求項７】
請求項１ないし６のいずれか１項に記載の局部洗浄装置であって、
前記ノズルは、水平方向に対して傾斜する方向に進退移動するもであり、
前記導入部は、前記ノズルの進退移動の方向に沿って前記ケースの後面から後方に突出するように延在しており、
筒状の第１接続部を介して前記導入部に接続されると共に筒状の第２接続部を介して洗浄水の供給管に接続される給水用の継手を備え、
前記継手は、前記第１接続部の延在方向と前記第２接続部の延在方向とのなす角度が鋭角となるように形成されている
局部洗浄装置。
【請求項８】
請求項７に記載の局部洗浄装置であって、
前記継手は、前記第１接続部が前記導入部に対して回転可能に接続されており、
前記第１接続部の回転を許容すると共に該第１接続部の延在方向への移動を規制するように前記継手を保持する保持部材を備える
局部洗浄装置。
【請求項９】
請求項１ないし８のいずれか１項に記載の局部洗浄装置であって、
前記ノズルは、前記嵌合部を複数有しており、
前記回転体は、複数の前記嵌合部がそれぞれ嵌合可能な複数条の前記螺旋溝を有し、
複数条の前記螺旋溝は、前記内周面の周方向の一部が軸方向の全長に亘って途切れるように形成されており、
複数の前記嵌合部のうち少なくとも２つの前記嵌合部が前記螺旋溝に常時嵌合するように、前記螺旋溝の角度と前記嵌合部の数とが定められている
局部洗浄装置。
【発明の詳細な説明】
【技術分野】
【０００１】
本発明は、回転体の回転により進退が可能なノズルを有する局部洗浄装置に関する。
【背景技術】
【０００２】
従来、この種の局部洗浄装置としては、略洋杯状の弁操作体を含む弁装置本体と、弁操作体内で回動するシリンダと、洗浄水を噴出可能なノズル孔を有し回動するシリンダ内を摺動するノズル本体と、シリンダ後端の外周部に設けられた外歯の駆動ギヤと、駆動ギヤを回転させる電動機と、を備えるものが提案されている（例えば、特許文献１参照）。この局部洗浄装置では、シリンダの内壁には螺旋形凹溝（螺旋溝）が形成され、ノズル本体の外周部には螺旋形凹溝を摺動する突起が設けられており、電動機でシリンダを回転駆動することで、ノズル本体をシリンダに対して進退させることができる。また、弁装置本体は、弁操作体の他に、弁操作体と連結環により結合された管状の弁切替体を有し、弁切替体の外周部にはノズル内部に側方から洗浄水を供給するための流入開口部が設けられている。
【先行技術文献】
【特許文献】
【０００３】
【特許文献１】特開２００１−２７１４０３号公報
【発明の概要】
【発明が解決しようとする課題】
【０００４】
しかしながら、上述した局部洗浄装置では、ノズル内部に側方から洗浄水を供給する構成のため、進退方向におけるノズル位置の調整範囲が狭いものとなる。洗浄水を供給するためのホースを、シリンダ内を通してノズル後端に接続する構成とすることも考えられるが、ノズルの進退量を確保できる長さとする必要がある。そのため、ノズルがシリンダの後端まで後退した場合に、ホースがシリンダからはみ出ることになり、ホースを収納するための収納部を設ける必要が生じるなど、装置構成の大型化に繋がってしまう。
【０００５】
本発明の局部洗浄装置は、ノズルの進退方向における位置調整範囲を広げつつ装置のコンパクト化を図ることを主目的とする。
【課題を解決するための手段】
【０００６】
本発明は、上述の主目的を達成するために以下の手段を採った。
【０００７】
本発明の局部洗浄装置は、人体の局部を洗浄する局部洗浄装置であって、内周面に螺旋溝を有し、先端および後端が開口した円筒状の回転体と、前記回転体に該回転体と同軸に設けられた回転ギヤと、前記回転ギヤを回転させるモータと、前記回転体の外周面を覆って該回転体を回転自在に支持するケースと、前記回転体の内部に設けられ、洗浄水を噴出可能な噴出口が形成された本体部を有すると共に前記螺旋溝に嵌合する嵌合部を有し、前記回転体の回転に伴って進退移動が可能なノズルと、前記ケースに対して固定され、前記回転体の後端側から洗浄水を導入する導入部と、前記回転体の内部を通って前記導入部に接続されると共に前記ノズルの本体部に接続され、前記導入部により導入された洗浄水を前記噴出口に供給可能な供給部と、を備え、前記供給部は、前記ノズルの進退移動に伴って伸縮するように構成されていることを要旨とする。
【０００８】
本発明の局部洗浄装置では、回転体の内周面に設けられた螺旋溝とノズルに設けられた嵌合部とが嵌合し、回転体の回転に伴ってノズルが進退移動するものにおいて、導入部から導入された洗浄水を噴出口に供給可能な供給部が、ノズルの進退移動に伴って伸縮するように構成されている。このため、ノズルの移動位置に拘わらず、洗浄水をノズルの噴出口に供給可能となるから、ノズルの進退方向における位置調整範囲を広げることができる。また、供給部は、回転体の内部を通って導入部とノズルの本体部との間で伸縮するから、局部洗浄装置の外部にはみ出ることがなく装置が大型化するのを防止することができる。したがって、ノズルの進退方向における位置調整範囲を広げつつ装置のコンパクト化を図ることができる。
【０００９】
本発明の局部洗浄装置において、前記供給部は、異なる径に形成され互いに重なり合うように軸方向に相対移動可能な２つのパイプであるものとしてもよい。こうすれば、２つのパイプを組み合わせた簡易な構成で、供給部が伸縮する構成を実現することができる。
【００１０】
本発明の局部洗浄装置において、前記ノズルは、複数種類の前記噴出口が形成され、前記供給部は、複数種類の前記噴出口のそれぞれに洗浄水を供給可能となるように、前記２つのパイプを１組として平行に配置された複数組のパイプであるものとしてもよい。こうすれば、噴出口を複数種類有するものにおいても、伸縮する構成を容易に実現することができる。また、回転体の回転に伴うノズルの供回りを複数組のパイプによって防止することも可能となる。
【００１１】
本発明の局部洗浄装置において、前記２つのパイプのうち大径のパイプの内周面と小径のパイプの外周面との間に配置された環状のシール部材を備えるものとしてもよい。こうすれば、２つのパイプの間を適切にシールして洗浄水の漏れを防止することができる。
【００１２】
本発明の局部洗浄装置において、前記供給部は、螺旋状に巻回された可撓性のホースであるものとしてもよい。こうすれば、可撓性のホースを用いた簡易な構成で、供給部が伸縮する構成を実現することができる。
【００１３】
本発明の局部洗浄装置において、前記ノズルの外周面と摺接可能な内径に形成され、前記回転体の先端に取り付けられた環状のスポンジ部材を備えるものとしてもよい。こうすれば、ノズルが進退移動する際に、回転体と一体的に回転するスポンジ部材がノズルの表面と摺接しながら清掃することができるから、ノズルの汚れを確実に除去してノズルの清潔性を保つことができる。
【００１４】
本発明の局部洗浄装置において、前記ノズルは、水平方向に対して傾斜する方向に進退移動するもであり、前記導入部は、前記ノズルの進退移動の方向に沿って前記ケースの後面から後方に突出するように延在しており、筒状の第１接続部を介して前記導入部に接続されると共に筒状の第２接続部を介して洗浄水の供給管に接続される給水用の継手を備え、前記継手は、前記第１接続部の延在方向と前記第２接続部の延在方向とのなす角度が鋭角となるように形成されているものとしてもよい。こうすれば、ノズルの進退移動の方向が水平方向に対して傾斜したものにおいて、第１接続部の延在方向と第２接続部の延在方向とのなす角度が直角となる継手を用いる場合に比して、導入部から継手が後方に突出する量を抑えることができるから、装置のコンパクト化を図ることができる。
【００１５】
本発明の局部洗浄装置において、前記継手は、前記第１接続部が前記導入部に対して回転可能に接続されており、前記第１接続部の回転を許容すると共に該第１接続部の延在方向への移動を規制するように前記継手を保持する保持部材を備えるものとしてもよい。こうすれば、洗浄水の供給管との接続に適した向きとなるように継手を回転させることができるから、装置をコンパクトに収めることが可能となる。また、保持部材で継手を保持することで洗浄水の水圧により第１接続部が導入部から外れるのを防止することができる。
【００１６】
本発明の局部洗浄装置において、前記ノズルは、前記嵌合部を複数有しており、前記回転体は、複数の前記嵌合部がそれぞれ嵌合可能な複数条の前記螺旋溝を有し、複数条の前記螺旋溝は、前記内周面の周方向の一部が軸方向の全長に亘って途切れるように形成されており、複数の前記嵌合部のうち少なくとも２つの前記嵌合部が前記螺旋溝に常時嵌合するように、前記螺旋溝の角度と前記嵌合部の数とが定められているものとしてもよい。こうすれば、螺旋溝に途切れている箇所があっても嵌合部を螺旋溝に適切に嵌合させて、ノズルの進退移動を安定させることができる。また、回転体内に浸入した水を、螺旋溝の途切れている箇所から良好に排出することもできる。なお、螺旋溝の角度は、回転体の軸方向に直交する基準面に対する角度であり、例えば３０°から６０°の間の角度に定めることができ、好ましくは４０°から５０°の間の角度に定めることができる。
【図面の簡単な説明】
【００１７】
【図１】局部洗浄装置を含む衛生洗浄便座装置１０が取り付けられた便器１の外観斜視図である。
【図２】局部洗浄装置に含まれる第１実施例のノズルユニット２０の外観斜視図である。
【図３】第１実施例のノズルユニット２０の外観斜視図である。
【図４】ノズルユニット２０の上面図である。
【図５】ノズルユニット２０の分解斜視図である。
【図６】ノズル３０の上面図，側面図および後面図である。
【図７】図６（ａ）のＢ−Ｂ断面図である。
【図８】ノズル３０の分解斜視図である。
【図９】ギヤカバー６０の前面図，上面図，側面図および後面図である。
【図１０】図９（ｂ）のＣ−Ｃ断面図である。
【図１１】ノズルユニット２０の作動の様子を示す説明図である。
【図１２】変形例のノズルユニット１２０の分解斜視図である。
【図１３】スポンジ９０とシリンダ１４０の外観斜視図である。
【図１４】変形例のおしり洗浄用の構成が収容されたケース１５０の上面図，側面図および断面図である。
【図１５】図１４（ａ）のＤ−Ｄ断面図である。
【図１６】第２実施例のノズルユニット２２０の外観斜視図である。
【図１７】ノズルユニット２２０の外観斜視図である。
【図１８】ノズルユニット２２０の上面図である。
【図１９】ノズルユニット２２０の分解斜視図である。
【図２０】ノズル２３０の上面図，側面図および後面図である。
【図２１】図２０（ｂ）のＧ−Ｇ断面図である。
【図２２】ノズル２３０の分解斜視図である。
【図２３】ギヤカバー２６０の前面図，上面図，側面図および後面図である。
【図２４】図２３（ｃ）のＨ−Ｈ断面図である。
【図２５】ギヤカバー２６０の分解斜視図である。
【図２６】アウターパイプ２６２ａ，２６２ｂの断面形状を示す説明図である。
【図２７】ノズルユニット２２０の作動の様子を示す説明図である。
【図２８】第３実施例のノズルユニット３２０の外観斜視図である。
【図２９】ノズルユニット３２０の分解斜視図である。
【図３０】ノズル３３０の上面図および側面図である。
【図３１】図３０（ａ）のＩ−Ｉ断面図である。
【図３２】ノズル３３０の分解斜視図である。
【図３３】ギヤカバー３６０の上面図，後面図および断面図である。
【図３４】ノズルユニット３２０の作動の様子を示す説明図である。
【図３５】第４実施例のノズルユニット４２０の外観斜視図である。
【図３６】ノズルユニット４２０の外観斜視図である。
【図３７】ノズルユニット４２０の側面図および後面図である。
【図３８】ノズルユニット４２０の分解斜視図である。
【図３９】ギヤカバー４６０の側面図および後面図である。
【図４０】図３９（ａ）のＪ−Ｊ断面図である。
【図４１】ギヤカバー４６０の分解斜視図である。
【図４２】ホルダ４６６の側面図，正面図および上面図である。
【図４３】継手４７１，４７４の回転の様子を示す説明図である。
【図４４】ギヤカバー４６９の分解斜視図である。
【図４５】継手４７７の回転の様子を示す説明図である。
【図４６】変形例のホルダ４６６ｘを含むギヤカバー４６０の分解斜視図である。
【図４７】変形例のホルダ４６６ｘの側面図，正面図および上面図である。
【図４８】プレート４６５を含む変形例のギヤカバー４６０の断面図である。
【図４９】プレート４６５を含む変形例のギヤカバー４６０の分解斜視図である。
【図５０】プレート４６５の正面図である。
【図５１】第５実施例のノズルユニット５２０の外観斜視図である。
【図５２】ノズルユニット５２０の外観斜視図である。
【図５３】ノズルユニット５２０の外観斜視図である。
【図５４】ノズルユニット５２０の外観斜視図である。
【図５５】ノズルユニット５２０の分解斜視図である。
【図５６】ケース５５０の半円筒部材５５２の側面図，後面図である。
【図５７】図５６（ｂ）のＫ−Ｋ断面図である。
【図５８】図５６（ｂ）のＬ−Ｌ断面図である。
【図５９】ギヤカバー５６０の正面図，側面図である。
【図６０】図５９（ａ）のＭ−Ｍ断面図である。
【図６１】図５９（ａ）のＮ−Ｎ断面図である。
【図６２】ノズルユニット５２０の側面図，後面図である。
【図６３】図６０（ｂ）のＯ−Ｏ断面図である。
【図６４】図６０（ｂ）のＰ−Ｐ断面図である。
【図６５】半円筒部材５４１，５４２の内周面Ａの平面図である。
【図６６】半円筒部材５４１，５４２の内周面Ｂの平面図である。
【図６７】半円筒部材５４１，５４２の内周面Ｃの平面図である。
【図６８】螺旋溝５４４ａの角度γと負荷トルクとノズル速度とセルフロック力との関係を示す説明図である。
【発明を実施するための形態】
【００１８】
次に、本発明を実施するための形態について実施例を用いて説明する。
【実施例】
【００１９】
［第１実施例］
図１は局部洗浄装置を含む衛生洗浄便座装置１０が取り付けられた便器１の外観斜視図であり、図２，図３は局部洗浄装置に含まれる第１実施例のノズルユニット２０の外観斜視図であり、図４はノズルユニット２０の上面図であり、図５はノズルユニット２０の分解斜視図である。便器１は、洋式便器であり、便器１の上面に衛生洗浄便座装置１０が設置されている。衛生洗浄便座装置１０は、図１に示すように、便器１の後方に設置される便座装置本体１２と、便座装置本体１２に回動自在に支持された便座１４と、便座装置本体１２に回動自在に支持された便蓋１６と、使用者により操作される操作パネル１８と、を備える。
【００２０】
便座装置本体１２は、給水管（水道配管）に接続された洗浄水流路、止水弁、熱交換ユニット、洗浄の強さを調整する脈動ポンプ、洗浄水を噴出するノズルユニット２０などを含む局部洗浄装置を備えており、これらは樹脂製のハウジング内に収容されている。熱交換ユニットは、水タンクやヒータ、温度センサが設けられ、給水管からの水をヒータによって温水にする。
【００２１】
また、便座装置本体１２は、衛生洗浄便座装置１０を制御する図示しない制御装置を備える。制御装置は、操作パネル１８や着座センサ１３（図１参照）、水タンクの温度センサなどからの信号に基づいて、水タンク内のヒータや脈動ポンプ、ノズルユニット２０を制御する。操作パネル１８には、図示しないが、洗浄強さの強いパワフルなおしり洗浄を指示するパワフル洗浄スイッチや洗浄強さの弱いマイルドなおしり洗浄を指示するマイルド洗浄スイッチ、ビデ洗浄を指示するビデ洗浄スイッチ、洗浄の強さを調整するための洗浄強さ調整スイッチ、洗浄位置を前後に調整するための洗浄位置調整スイッチ（前スイッチ，後スイッチ）、洗浄の停止を指示する停止スイッチなどが設けられている。
【００２２】
ノズルユニット２０は、おしり洗浄用の構成として、ノズル３０やシリンダ４０、ケース５０、ギヤカバー６０、ノズル洗浄器８０、モータ２４などを備え、ビデ洗浄用の構成として、図示しないノズルやシリンダ、ケース５９、ギヤカバー６９、ノズル洗浄器８１、モータ２６などを備える他、切替バルブ７０などを備える。なお、ビデ洗浄用の各構成は、おしり洗浄用の各構成と同様に構成されているため、以下では主におしり洗浄用の各構成について説明する。
【００２３】
ノズル３０は、おしり洗浄用のノズルであり、収容位置（図４参照）と洗浄位置（図２，図３参照）との間で進退移動すると共に洗浄位置において人体の局部に洗浄水を噴出可能に構成される。図６はノズル３０の上面図，側面図および後面図であり、図７は図６（ａ）のＢ−Ｂ断面図であり、図８はノズル３０の分解斜視図である。ノズル３０は、２種類のノズル孔３１ａ，３１ｂと各ノズル孔３１ａ，３１ｂに連通する本体内流路３２ａ，３２ｂが形成されたノズル本体３１と、ノズル本体３１を覆うと共に先端部にノズル孔３１ａ，３１ｂと連通する連通孔３３ａ，３３ｂが形成され後端が開口した円筒状のノズルカバー３３と、ノズル本体３１の後端に連結されると共にノズルカバー３３内に挿入され前端と後端とが開口した円筒状のノズルテール３７とを備える。本実施例では、ノズル孔３１ａは、パワフル洗浄用のノズル孔として構成され、ノズル孔３１ｂは、マイルド洗浄用のノズル孔として構成される。ノズルカバー３３の下面側には、図３に示すように、先端部手前と後端部手前との間で軸方向（進退方向）に延びるガイド溝３３ｃ（凹溝）が形成されている。ノズル本体３１の後端側には、金属製または樹脂勢のインナーパイプ３５ａ，３５ｂが取り付けられており、インナーパイプ３５ａはノズル孔３１ａに連通する本体内流路３２ａに接続され、インナーパイプ３５ｂは、ノズル孔３１ｂに連通する本体内流路３２ｂに接続されている。インナーパイプ３５ａ，３５ｂは、ノズルテール３７内を通ってノズルテール３７の後端部から外方に突出している。ノズルテール３７の後端部は、ノズルカバー３３内にノズルテール３７が挿入された状態で外部に露出し、その外周面には、ノズルテール３７の軸方向に対して傾斜して延びる２つの凸条３８が設けられている。なお、ノズル３９は、上述したようにビデ洗浄用のノズルであり、１種類のノズル孔が形成され１本のインナーパイプを備える点を除いて、ノズル３０と同様に構成されている。
【００２４】
シリンダ４０は、前端と後端とが開口した円筒状の回転体であり、ノズル３０を包囲するようにノズル３０の外径よりも若干大きい内径を有する。シリンダ４０は、２つの半円筒部材４１，４２の周方向の端面同士が突き合わされて形成される。半円筒部材４１，４２の外周面には、図５に示すように、半円筒部材４１，４２の周方向の端面同士が突き合わされた状態で環状をなすようにそれぞれ半円状に形成された外周リブ４３が形成されている。また、半円筒部材４１，４２の内周面には、図５に示すように、それぞれシリンダ４０の軸方向に対して傾斜して延びる複数の内周リブ４４が形成されている。複数の内周リブ４４は、半円筒部材４１，４２の周方向の端面同士が突き合わされた状態で、隣接する内周リブ４４間の溝が螺旋状につながる螺旋溝４４ａを形成する。
【００２５】
また、半円筒部材４１の後端部の外周面には、図５に示すように、シリンダ４０と同軸に回転する外歯の回転ギヤ４５が設けられている。回転ギヤ４５は、ケース５０の外径からはみ出さないよう、ケース５０の外径よりも小さな外径を有するように形成されている。回転ギヤ４５はモータ２４の回転軸に取り付けられた駆動ギヤ２５と噛合されており、シリンダ４０は、モータ２４により回転ギヤ４５を回転駆動することで回転ギヤ４５と一体に回転する。シリンダ４０の内周面に形成される螺旋溝４４ａには、ノズル３０の後端部の外周面に設けられた凸条３８が嵌合するため、ノズル３０は、シリンダ４０が回転することにより凸条３８が螺旋溝４４ａに沿って相対的に移動しながら収容位置と進出位置との間で前後（軸方向）に進退する。
【００２６】
また、半円筒部材４１，４２は、本実施例では、外周面を形成する凹型と内周面を形成する凸型との間の空間に樹脂材料を射出注入し、樹脂材料を冷却固化させる射出成形によって形成され、半円筒部材４１，４２には回転ギヤ４５や外周リブ４３、内周リブ４４が一体に形成されている。また、内周リブ４４は、図５に示すように、半円筒部材４１，４２の内周面の周方向における両端部には形成されておらず、射出成形の際の型抜き（凸型の型抜き）をスムーズに行うことができる。
【００２７】
ケース５０は、前端と後端とが開口した円筒部材であり、シリンダ４０を包囲してシリンダ４０を回転自在に支持するようにシリンダ４０の外径よりも若干大きな内径を有する。ケース５０は、図５に示すように、２つの半円筒部材５１，５２の周方向の端面同士が突き合わされて形成される。ケース５０の内周面には２つの半円筒部材５１，５２の周方向の端面同士が突き合わされた状態で環状をなすように半円状の内周溝５３が形成されており、内周溝５３には、シリンダ４０の外周リブ４３が嵌合される。本実施例では、内周溝５３は外周リブ４３の高さよりも浅い深さを有しており、シリンダ４０は、少ない摩擦抵抗で回転自在にケース５０に支持される。
【００２８】
また、ケース５０の下面側の半円筒部材５２には、後端部に径方向に延びるギヤカバー固定部５５が一体的に設けられており、先端部の内周面に上方に突出したガイドリブ５４が設けられている。ガイドリブ５４は、ケース５０のシリンダ４０の外周面を支持する支持面よりも先端側に形成されており、ノズル３０のガイド溝３３ｃに嵌合することで、ノズル３０の進退移動をガイドする。
【００２９】
ギヤカバー６０は、モータ２４の駆動ギヤ２５とシリンダ４０の回転ギヤ４５とを内部に収容するように、ギヤカバー固定部５５に固定されている。図９はギヤカバー６０の前面図，上面図，側面図および後面図であり、図１０は図９（ｂ）のＣ−Ｃ断面図である。ギヤカバー６０には、前面側（内面側）に２つのアウターパイプ６２ａ，６２ｂが設けられ、アウターパイプ６２ａ，６２ｂにそれぞれ連通し洗浄水が導入される２つの導入口６３ａ，６３ｂが後面側（外面側）に設けられている。アウターパイプ６２ａ，６２ｂは、それぞれインナーパイプ３５ａ，３５ｂの外径よりも若干大きな内径を有しておりそれぞれの内部にインナーパイプ３５ａ，３５ｂが挿入されることで、洗浄水の供給路を形成する。インナーパイプ３５ａおよびアウターパイプ６２ａの１組のパイプはパワフル洗浄用の洗浄水の供給路Ｓ１（図１１参照）を形成し、互いに重なり合うように軸方向に相対移動することにより供給路Ｓ１が伸縮する。インナーパイプ３５ｂおよびアウターパイプ６２ｂの１組のパイプは、マイルド洗浄用の洗浄水の供給路Ｓ２（図１１参照）を形成し、互いに重なり合うように軸方向に相対移動することにより供給路Ｓ２が伸縮する。また、これらの２組のパイプは、シリンダ４０内で軸方向に沿って平行に配置されており、ノズル３０の進退移動に伴って供給路Ｓ１，Ｓ２をシリンダ４０内で伸縮可能である。なお、シリンダ４０の回転に伴うノズル３０の供回りは、ガイドリブ５４とガイド溝３３ｃとの嵌合によって防止可能であるが、２組のパイプを有することによっても防止可能である。インナーパイプ３５ａ，３５ｂの後端部の外周面には環状の凹溝が形成されており、この凹溝にＯリング３６が取り付けられている。Ｏリング３６は、小径のインナーパイプ３５ａ，３５ｂの外周面と大径のアウターパイプ６２ａ，６２ｂの内周面との間の隙間をシールするように配置されており、供給路Ｓ１，Ｓ２の伸縮に伴って洗浄水が漏れるのを防止している。なお、ノズル３９は、１種類のノズル孔への洗浄水の供給路が１組のインナーパイプおよびアウターパイプにより構成されている。
【００３０】
ノズル洗浄器８０は、ケース５０の先端部の開口縁に取り付けられる環状の部材であり、ノズル３０の外周面に向かって洗浄水を噴出する噴出孔を有する。ノズル洗浄器８０には、ホース８２の一端が接続されており、ホース８２の他端は、切替バルブ７０に接続されている。
【００３１】
切替バルブ７０は、脈動ポンプよりも下流の洗浄水流路の洗浄水の供給先を、ノズル３０の２つの供給路Ｓ１，Ｓ２とノズル３９の供給路とノズル洗浄器８０のホース８２とノズル洗浄器８１のホース８３のいずれとするかを切り替えるものであり、切替モータ７２により駆動されるロータリバルブとして構成される。切替バルブ７０は、継手７３を介してノズル３０への洗浄水の導入口６３ａ，６３ｂに接続されており、継手７５を介してノズル３９への洗浄水の導入口６３ｃに接続されている。
【００３２】
次に、こうして構成された本実施例の衛生洗浄便座装置１０（局部洗浄装置のノズルユニット２０）の動作について説明する。図１１はノズルユニット２０の作動の様子を示す説明図である。なお、図１１（ａ）は図４のＡ−Ａ断面図である。衛生洗浄便座装置１０の制御装置は、着座センサ１３により使用者が便座１４に着座していると判定し、かつ、操作パネル１８のパワフル洗浄スイッチやマイルド洗浄スイッチが押下されておしり洗浄の開始が指示されたと判定すると、モータ２４により駆動ギヤ２５と噛合する回転ギヤ４５を回転させて、シリンダ４０を回転させる。シリンダ４０が回転すると、ノズル３０に設けられた凸条３８がシリンダ４０の内周面に形成された螺旋溝４４ａに沿って相対的に移動し、ノズル３０は収容位置（図１１（ａ）参照）からおしり洗浄用の洗浄位置に向かって進出する。このノズル３０の進出に伴ってインナーパイプ３５ａ，３５ｂがアウターパイプ６２ａ，６２ｂから進出することにより洗浄水の供給路Ｓ１，Ｓ２が共に伸張する。そして、ノズル３０が洗浄位置に到達すると（図１１（ｂ）参照）、制御装置は、ノズル３０のノズル孔３１ａ，３１ｂのいずれかに脈動ポンプからの洗浄水が供給路Ｓ１，Ｓ２を介して供給されるように切替バルブ７０（切替モータ７２）を制御する。制御装置は、パワフル洗浄スイッチが押下された場合には供給路Ｓ１に導入口６３ａを介して洗浄水が供給されるように切替バルブ７０を制御し、マイルド洗浄スイッチが押下された場合には供給路Ｓ２に導入口６３ｂを介して洗浄水が供給されるように切替バルブ７０を制御する。これにより、ノズル孔３１ａまたはノズル孔３１ｂから人体の肛門部に向かって洗浄水が噴出され、おしり洗浄が開始される。
【００３３】
制御装置は、前スイッチ（洗浄位置調整スイッチ）が押下されて、洗浄位置の前方への変更が指示されたと判定すると、モータ２４によりシリンダ４０を回転させてノズル３０を所定量進出させる。このノズル３０の所定量の進出に伴って、インナーパイプ３５ａ，３５ｂがアウターパイプ６２ａ，６２ｂから所定量進出して供給路Ｓ１，Ｓ２が所定量伸張する。また、制御装置は、後スイッチ（洗浄位置調整スイッチ）が押下されて、洗浄位置の後方への変更が指示されたと判定すると、モータ２４によりシリンダ４０を逆回転させてノズル３０を所定量後退させる。このノズル３０の所定量の後退に伴って、インナーパイプ３５ａ，３５ｂがアウターパイプ６２ａ，６２ｂ内に所定量進入して供給路Ｓ１，Ｓ２が所定量収縮する。このように、供給路Ｓ１，Ｓ２は、ノズル３０の位置調整に追従するように伸縮するから、ノズル３０の位置調整の調整量に拘わらず洗浄水を適切に供給することができる。そして、制御装置は、操作パネル１８の停止スイッチが押下されて、おしり洗浄の停止が指示されたと判定すると、ノズル３０への給水を停止する。そして、モータ２４により回転ギヤ４５を逆回転させ、ノズル３０を収容位置に向かって後退させてシリンダ４０内に収容させる。このノズル３０の後退に伴ってインナーパイプ３５ａ，３５ｂがアウターパイプ６２ａ，６２ｂ内に進入することにより供給路Ｓ１，Ｓ２が収縮する。制御装置は、ノズル３０が洗浄位置から収容位置へ向かう途中または収容位置に到達したときに、ノズル洗浄器８０からノズル３０に向かって洗浄水が噴出されるよう切替バルブ７０を制御し、ノズル３０を洗浄する。
【００３４】
また、制御装置は、着座センサ１３により使用者が便座１４に着座していると判定し、かつ、操作パネル１８のビデ洗浄スイッチが押下されてビデ洗浄の開始が指示されたと判定すると、モータ２６により図示しないシリンダを回転させ、ノズル３９をビデ洗浄用の洗浄位置に向かって進出させる。そして、ノズル３９が洗浄位置に到達するとノズル３９のノズル孔に脈動ポンプからの洗浄水が供給路を介して供給されるように切替バルブ７０を制御して、ビデ洗浄を開始する。なお、ノズル３９の進出に伴ってノズル３９内のインナーパイプがアウターパイプから軸方向に進出することにより、洗浄水の供給路が伸張する。また、前スイッチまたは後スイッチが押下された場合には、制御装置は、ノズル３９を前方または後方に所定量移動させる。これにより、ノズル３９内のインナーパイプおよびアウターパイプにより構成される供給路が所定量伸縮する。そして、制御装置は、操作パネル１８の停止スイッチが押下されてビデ洗浄の停止が指示されたと判定すると、ノズル３９への給水を停止し、モータ２６により回転ギヤを逆回転させ、ノズル３９を収容位置に向かって後退させてシリンダ内に収容させる。このノズル３９の後退に伴ってインナーパイプがアウターパイプ内に進入することにより洗浄水の供給路が収縮する。制御装置は、ノズル３９が洗浄位置から収容位置へ向かう途中または収容位置に到達したときに、ノズル洗浄器８１からノズル３９に向かって洗浄水が噴出されるよう切替バルブ７０を制御し、ノズル３９を洗浄する。
【００３５】
以上説明した第１実施例の局部洗浄装置では、シリンダ４０の回転に伴ってノズル３０が進退移動するものにおいて、ノズル３０の進退移動に伴って洗浄水の供給路Ｓ１，Ｓ２が伸縮するように構成されている。このため、ノズル３０の移動位置に拘わらず洗浄水を供給可能となるから、ノズル３０の進退方向における位置調整範囲を広げることができる。また、供給路Ｓ１，Ｓ２は、シリンダ４０の内部で伸縮し装置外部にはみ出ることがないから、装置が大型化するのを防止することができる。
【００３６】
また、各供給路は、異なる径に形成され互いに重なり合うように軸方向に相対移動可能なインナーパイプおよびアウターパイプの組み合わせであるから、簡易な構成とすることができる。また、インナーパイプ３５ａ，３５ｂおよびアウターパイプ６２ａ，６２ｂの２組のパイプを有するから、２種類の噴出孔３１ａ，３１ｂに洗浄水を供給することができる。
【００３７】
また、大径のアウターパイプ６２ａ，６２ｂの内周面と小径のインナーパイプ３５ａ，３５ｂの外周面との間にＯリング３６が配置されるから、２つのパイプの間を適切にシールして洗浄水の漏れを防止することができる。
【００３８】
第１実施例では、ノズル３０を洗浄するためのノズル洗浄器８０を備えるものとしたが、これに限られず、図１２の変形例のノズルユニット１２０に示すように、ノズル３０を洗浄するための環状のスポンジ９０を備えるものとしてもよい。図１３はスポンジ９０とシリンダ１４０の外観斜視図であり、図１４は変形例のおしり洗浄用の構成が収容されたケース１５０の上面図，側面図および断面図であり、図１５は図１４（ａ）のＤ−Ｄ断面図である。なお、図１４（ｃ）は図１４（ｂ）のＥ−Ｅ断面図である。変形例のノズルユニット１２０は、おしり洗浄用の構成として、ノズル３０やシリンダ１４０、ケース１５０、ギヤカバー１６０、モータ２４などを備える。また、図示は省略するが、ノズルユニット１２０は、ノズルユニット２０と同様のビデ洗浄用の構成や切替バルブ７０などを備える。
【００３９】
変形例のノズルユニット１２０は、シリンダ１４０の２つの半円筒部材１４１，１４２の先端側の端面に、軸方向に突出する複数の固定爪１４６が等角度間隔で設けられている。スポンジ９０は、図示しない切り込みが後端面に形成されており、半円筒部材１４１，１４２の固定爪１４６がその切り込みに嵌合することによりシリンダ１４０の先端に固定されてシリンダ１４０と一体回転するものとなる。また、スポンジ９０は、シリンダ１４０と略同じ外径に形成されると共にノズル３０の外表面に摺接可能な内径に形成され、内表面および外表面に凹凸が設けられている。ケース１５０の内周面には、２つの半円筒部材１５１，１５２の周方向の端面同士が突き合わされた状態で環状をなすように突出した内周リブ１５８が形成されており、スポンジ９０は前端面がこの内周リブ１５８に当接することによりケース１５０内の配置箇所からの脱落が防止される。また、ケース１５０の半円筒部材１５１には、スポンジ９０の配置箇所に連通する通水口１５７が設けられている。通水口１５７には、一端が切替バルブ７０に接続された図示しないホースの他端が接続されており、当該ホースから通水口１５７を介してスポンジ９０に洗浄水を供給可能となっている。また、この変形例では、ギヤカバー１６０の後面側に形成された導入口１６３ａ，１６３ｂが、継手７３に代えて図示しないホースを介して切替バルブ７０に接続されている。勿論、継手を介して接続されるものとしてもよい。なお、ケース１５０は、先端部の内周面にガイドリブ５４が設けられておらず、このため、ノズル３０もガイド溝３３ｃが設けられないものとすることができる。ガイドリブ５４が設けられないため、シリンダ４０の回転に伴うノズル３０の供回りの防止をガイドリブ５４によって行うことはできないものの、インナーパイプ３５ａ，３５ｂおよびアウターパイプ６２ａ，６２ｂの２組のパイプにより行うことが可能である。
【００４０】
このように、ノズルユニット１２０は、ノズル３０の外周面と摺接可能な内径に形成され、シリンダ４０の先端に取り付けられた環状のスポンジ９０を備えるから、シリンダ４０の回転に伴ってノズル３０が進退移動する際に、シリンダ４０と一体回転するスポンジ９０の内周面がノズル３０の外周面に摺接することになる。これにより、ノズル３０が進退移動する際に、ノズル３０の外周面をスポンジ９０が回転しながら清掃してノズル３０の汚れを確実に除去することができるから、ノズルの清潔性を保つことができる。また、通水口１５７からスポンジ９０に洗浄水を供給することができるから、スポンジ９０の乾燥を防いでノズル３０との密着性を高めると共に、除去した汚れを洗い流すこともできる。なお、スポンジ９０の内周面および外周面には凹凸が設けられているから、凹凸が設けられないものに比してケース１５０の内周面との接触面積やノズル３０の外周面との接触面積を少なくして、シリンダ４０が回転する際の摺動抵抗を抑えることができる。また、スポンジ９０が、抗菌作用を有する物質として、例えば二酸化チタンなどの光触媒、銀や銅などを含む無機系抗菌剤などを含有するものとしてもよい。こうすれば、スポンジ９０に雑菌などが繁殖するのを抑制することができる。あるいは、銀イオンなどを含む除菌水を通水口１５７から供給して、スポンジ９０に除菌水を通水することで抗菌作用を与えるものとしてもよい。なお、ノズル洗浄器８０に代えてスポンジ９０を設けるものに限られず、ノズル洗浄器８０に加えてスポンジ９０を設けるものとしてもよい。ノズル洗浄器８０による洗浄とスポンジ９０による清掃とによる相乗効果によって、ノズル３０の汚れをより確実に除去することができる。このようにする場合、ノズル洗浄器８０に洗浄水を供給するタイミングと、スポンジ９０に洗浄水を供給するタイミングとを、異なるタイミングとするように制御してもよいし、同じタイミングとするように制御してもよい。
【００４１】
［第２実施例］
第１実施例では、インナーパイプ３５ａ，３５ｂおよびアウターパイプ６２ａ，６２ｂの２組のパイプが縦方向（上下方向）に平行に並ぶと共に導入口６３ａ，６３ｂと切替バルブ７０とが継手７３を介して接続されるものとしたが、これに限られず、２組のパイプが横方向（左右方向）に平行に並ぶものとしてもよいし、導入口と切替バルブとがホースを介して接続されるものとしてもよい。図１６，図１７は第２実施例のノズルユニット２２０の外観斜視図であり、図１８はノズルユニット２２０の上面図であり、図１９はノズルユニット２２０の分解斜視図である。
【００４２】
ノズルユニット２２０は、おしり洗浄用の構成として、ノズル２３０やシリンダ２４０、ケース５０、ギヤカバー２６０、モータ２４などを備え、ビデ洗浄用の構成として、ノズル２３９や図示しないシリンダ、ケース５９、ギヤカバー２６９、モータ２６などを備える他、切替バルブ２７０やノズル洗浄器２８０などを備える。ノズルユニット２２０は、これらの構成がハウジングのベース２２１に搭載されている。以下では、主におしり洗浄用の構成について、第１実施例と異なる点を中心に説明する。
【００４３】
図２０はノズル２３０の上面図，側面図および後面図であり、図２１は図２０（ｂ）のＧ−Ｇ断面図であり、図２２はノズル２３０の分解斜視図である。ノズル２３０は、２種類のノズル孔３１ａ，３１ｂが形成されたノズル本体２３１と、ノズル本体２３１の後端部に連結されるインナーノズル２３４と、インナーノズル２３４の後端部に連結され前端と後端とが開口した筒状のノズルテール２３７と、前端と後端とが開口しノズル本体２３１の後端部の縁に取り付けられると共にインナーノズル２３４とノズルテール２３７とを覆う筒状のノズルカバー２３３とを備える。インナーノズル２３４の後端には、第１実施例と同様のインナーパイプ３５ａ，３５ｂが左右に並ぶように取り付けられている。インナーパイプ３５ａはノズル孔３１ａに連通する本体内流路３２ａに接続され、インナーパイプ３５ｂは、ノズル孔３１ｂに連通する本体内流路３２ｂに接続されている。各インナーパイプ３５ａ，３５ｂの後端には、第１実施例と同様にＯリング３６が取り付けられており、後述する各アウターパイプ２６２ａ，２６２ｂとの隙間をシールする。
【００４４】
シリンダ２４０は、図１９に示すように、半円筒部材２４１，２４２の内周面に、第１実施例の内周リブ４４よりも軸方向の幅（長さ）が大きな内周リブ２４４が形成されている。このため、第２実施例の螺旋溝２４４ａは、シリンダ２４０の軸方向に隣り合う溝間のピッチが第１実施例の螺旋溝４４ａに比して広いものとなる。したがって、シリンダ２４０の単位回転あたりのノズル２３０の進退量が多くなるから、ノズル２３０を比較的速い速度で進退移動させることが可能となる。このようにノズル２３０が比較的速い速度で進退移動する場合でも、インナーパイプ３５ａ，３５ｂおよびアウターパイプ２６２ａ，２６２ｂの２組のパイプは軸方向への相対移動によって伸縮可能であるから、ノズル２３０の移動に容易に追従させて洗浄水を適切に供給することができる。なお、螺旋溝２４４ａのピッチを第１実施例の螺旋溝４４ａと同じピッチとするものとしてもよい。また、ノズル２３０の洗浄位置や収容位置の位置決め精度を向上させるために、シリンダ２４０の先端部や後端部における螺旋溝２４４ａのピッチを中央部におけるピッチよりも狭くするものなどとしてもよい。
【００４５】
図２３はギヤカバー２６０の前面図，上面図，側面図および後面図であり、図２４は図２３（ｃ）のＨ−Ｈ断面図であり、図２５はギヤカバー２６０の分解斜視図であり、図２６はアウターパイプ２６２ａ，２６２ｂの断面形状を示す説明図である。ギヤカバー２６０には、アウターパイプ２６２ａ，２６２ｂの後端を保持する筒状の保持部２６１が後面側に突出するように設けられており、保持部２６１の端面に導入口２６３ａ，２６３ｂが設けられている。導入口２６３ａ，２６３ｂは、それぞれホース２７３，２７４（図１７，図１８参照）を介して切替バルブ２７０に接続される。なお、ビデ洗浄用のギヤカバー２６９に設けられる導入口は、ホース２７５を介して切替バルブ２７０に接続される。アウターパイプ２６２ａ，２６２ｂは、外形の一部に肉厚の薄い平坦面を含むＤ型の断面形状を有するように形成されており、互いの平坦面を接触させるように組み合わせた状態で保持部２６１に保持される。また、保持部２６１内の後端部には、アウターパイプ２６２ａ，２６２ｂの断面形状に沿って窪む窪み部２６１ａ，２６１ｂが形成されている。アウターパイプ２６２ａ，２６２ｂは、後端が窪み部２６１ａ，２６１ｂ内に圧入されており、圧入された状態でそれぞれ導入口２６３ａ，２６３ｂに連通する。このように、圧入によりアウターパイプ２６２ａ，２６２ｂが導入口２６３ａ，２６３ｂに連通するから、ギヤカバー２６０とアウターパイプ２６２ａ，２６２ｂとを別部材で構成した場合でも、ギヤカバー２６０とアウターパイプ２６２ａ，２６２ｂとの水密性を保って導入された洗浄水が漏れるのを防止することができる。
【００４６】
ノズル洗浄器２８０は、ケース５０，５９の先端部の上方に両ケース５０，５９に跨がるように取り付けられる門型状の部材であり、ノズル２３０，２３９の外周面に向かって洗浄水を下方に噴出する噴出孔を有する。ノズル洗浄器２８０には、ホース２８２の一端が接続されており、ホース２８２の他端は、切替バルブ２７０に接続されている。
【００４７】
図２７はノズルユニット２２０の作動の様子を示す説明図である。なお、図２７（ａ）は図１８のＦ−Ｆ断面図である。第２実施例のノズルユニット２２０は、おしり洗浄の開始が指示されて、ノズル２３０が収容位置（図２７（ａ）参照）からおしり洗浄用の洗浄位置に向かって進出すると（図２７（ａ）参照）、ノズル２３０の進出に伴ってインナーパイプ３５ａ，３５ｂがアウターパイプ２６２ａ，２６２ｂから進出することにより、第１実施例と同様に供給路Ｓ１，Ｓ２が伸張する（Ｓ１は図示略）。このため、第１実施例と同様に、ノズル２３０の進退方向における位置調整範囲を広げつつ装置が大型化するのを防止することができる。
【００４８】
第１実施例や第２実施例では、ノズル３０（１３０，２３０）に２種類のノズル孔３１ａ，３１ｂが形成され、インナーパイプ３５ａ，３５ｂおよびアウターパイプ６２ａ，６２ｂ（２６２ａ，２６２ｂ）の２組のパイプにより各ノズル孔３１ａ，３１ｂに洗浄水を供給するものとしたが、これに限られず、ノズル３０（１３０，２３０）に３種類以上のノズル孔が形成され、インナーパイプおよびアウターパイプを１組として平行に配置された３組以上のパイプにより各ノズル孔に洗浄水を供給するものなどとしてもよい。
【００４９】
［第３実施例］
第１実施例や第２実施例では、洗浄水の供給路Ｓ１，Ｓ２がインナーパイプおよびアウターパイプにより構成されるものを例示したが、ノズル３０の進退移動に伴って伸縮するように構成されていればよく、例えば可撓性のホースを用いるものなどとしてもよい。以下、第３実施例について説明する。図２８は第３実施例のノズルユニット３２０の外観斜視図であり、図２９はノズルユニット３２０の分解斜視図である。
【００５０】
ノズルユニット３２０は、おしり洗浄用の構成として、ノズル３３０やシリンダ４０、ケース５０、ギヤカバー３６０、ノズル洗浄器８０、モータ２４などを備え、ビデ洗浄用の構成として、ノズル３３９や図示しないシリンダ、ケース５９、ギヤカバー３６９、ノズル洗浄器８１、モータ２６などを備える他、切替バルブ３７０などを備える。以下では、主におしり洗浄用の構成について、第１実施例や第２実施例と異なる点を中心に説明する。
【００５１】
図３０はノズル３３０の上面図および側面図であり、図３１は図３０（ａ）のＩ−Ｉ断面図であり、図３２はノズル３３０の分解斜視図である。ノズル３３０は、１種類のノズル孔３１ａが形成されたノズル本体３３１と、ノズル本体３３１の後端部に連結される円筒状のノズルテール３３７と、ノズル本体３３１とノズルテール３３７とを覆う共に先端部にノズル孔３１ａと連通する連通孔３３ａが形成され後端が開口した円筒状のノズルカバー３３３とを備える。ノズル本体３３１には、ノズル孔３１ａに連通する本体内流路３２ａに洗浄水を供給するための給水口３３２が後端面から後方に突出するように設けられており、この給水口３３２にホース３３４（図２９参照）の一端が接続される。ホース３３４は、螺旋状に巻回されたゴムホースであり、伸縮可能となっている。
【００５２】
また、図３３はギヤカバー３６０の上面図，後面図および断面図であり、図３３（ｃ）は図３３（ｂ）のＪ−Ｊ断面図である。ギヤカバー３６０には、導入口３６３が後面（外面）に設けられると共に、導入口３６３に連通する接続口３６４が前面（内面）に設けられている。ギヤカバー３６０の接続口３６４には、ホース３３４の他端が接続される。これにより、ホース３３４は、導入口３６３からの洗浄水が接続口３６４を介して導入され、導入された洗浄水を給水口３３２を介してノズル本体３３１のノズル孔３１ａに供給することができる。即ち、ホース３３４が洗浄水の供給路Ｓを構成する。
【００５３】
図３４はノズルユニット３２０の作動の様子を示す説明図である。ノズルユニット３２０は、おしり洗浄の開始が指示されて、ノズル３３０が収容位置（図３４（ａ）参照）からおしり洗浄用の洗浄位置に向かって進出すると（図３４（ｂ）参照）、ノズル３３０の進出に伴ってノズル本体３３１の給水口３３２に一端が接続されたホース３３４が伸びることにより供給路Ｓが伸張する。また、前スイッチが押下されてノズル３３０が所定量進出すると、ホース３３４が所定量伸びて供給路Ｓが所定量伸張し、後スイッチが押下されてノズル３３０が所定量後退すると、ホース３３４が所定量縮んで供給路Ｓが所定量収縮する。また、ノズル３３０が収容位置に向かって後退すると、ノズル３０の後退に伴ってホース３３４が螺旋状に券回されるように縮むことにより供給路Ｓが収縮する。このように、ホース３３４により構成される供給路Ｓは、ノズル３３０に追従するように伸縮するから、ノズル３３０の位置調整の調整量に拘わらず洗浄水を適切に供給することができる。このため、第１実施例と同様に、ノズル３３０の進退方向における位置調整範囲を広げつつ装置が大型化するのを防止することができる。
【００５４】
第３実施例では、ノズル３３０内にホース３３４が１本配置されるものとしたが、これに限られず、ホースが２以上の複数本配置されるものとしてもよい。即ち、ノズルが複数種類のノズル孔を有し、各ノズル孔への洗浄水の供給路Ｓとして複数本のホースが配置されてもよい。このようにする場合、径の細い複数本のホースを用いて互いの伸縮を許容するようにシリンダ４０内に収めるものなどとすればよい。
【００５５】
第３実施例では、螺旋状のホース３３４を例示したが、これに限られず、伸縮が可能に構成された可撓性を有するホースであればよく、蛇腹状のホースなどとしてもよい。
【００５６】
［第４実施例］
次に、第４実施例について説明する。図３５，図３６は第４実施例のノズルユニット４２０の外観斜視図であり、図３７はノズルユニット４２０の側面図および後面図であり、図３８はノズルユニット４２０の分解斜視図である。また、図３９はギヤカバー４６０の側面図および後面図であり、図４０は図３９（ａ）のＪ−Ｊ断面図であり、図４１はギヤカバー４６０の分解斜視図である。第４実施例のノズルユニット４２０は、第１，第２実施例のノズルユニット２０，２２０などと同様に、おしり洗浄用の構成として、ノズル４３０やシリンダ４４０、ケース４５０、ギヤカバー４６０、モータ２４などを備え、ビデ洗浄用の構成として、ノズル４３９や図示しないシリンダ、ケース４５９、ギヤカバー４６９、モータ２６などを備える。ノズルユニット４２０は、これらの構成がハウジングのベース４２１に搭載されている。ノズルユニット４２０は、主にギヤカバー４６０，４６９の導入口（導入部）４６３，４６８や導入口４６３，４６８に取り付けられる継手４７１，４７４，４７７の構成がノズルユニット２０，２２０などと異なるため、以下では、それらを中心に説明する。
【００５７】
おしり洗浄用のギヤカバー４６０では、２つのアウターパイプ４６２ａ，４６２ｂがギヤカバー４６０と別体に設けられており、それらのアウターパイプ４６２ａ，４６２ｂの後端部を保持すると共に洗浄水が導入される筒状の導入口４６３が後面から後方に突出するように設けられている。導入口４６３の突出方向は、ノズル３０の軸方向と同方向であり、ノズル３０の進退移動の方向と同方向となる。導入口４６３は、２つのアウターパイプ４６２ａ，４６２ｂが横並びに嵌め込まれるように断面形状が略長円形状に形成されており、円弧状の左右の両側面の一部を部分的に切り込んで形成された左右一対のパイプ押え４６３ａが設けられている。パイプ押え４６３ａは、導入口４６３との接続辺を残して略Ｕ字状に切り込まれたカンチレバー状に形成されて弾性変形が可能となっている。導入口４６３は、一対のパイプ押え４６３ａの先端側（自由端側）の内面で、２つのアウターパイプ４６２ａ，４６２ｂの外周面を押さえ付けることでアウターパイプ４６２ａ，４６２ｂを保持している（図４０参照）。また、導入口４６３の突出端側には、アウターパイプ４６２ａ，４６２ｂの後端にそれぞれ接続される継手４７１，４７４と、継手４７１，４７４を保持するホルダ４６６とが設けられている。
【００５８】
継手４７１は、先端部の外径がアウターパイプ４６２ａの内径に嵌合可能に形成されアウターパイプ４６２ａの後端に接続される円筒状のパイプ接続部４７２と、洗浄水を供給するための図示しないホースに接続される円筒状のホース接続部４７３とが屈曲するように一体成形されたものである。同様に、継手４７４は、アウターパイプ４６２ｂに接続される円筒状のパイプ接続部４７５と、ホースに接続される円筒状のホース接続部４７６とが屈曲するように一体成形されたものである。これらの継手４７１，４７４は、パイプ接続部４７２，４７５の延在方向とホース接続部４７３，４７６の延在方向とのなす屈曲角度である角度α（図３９（ａ）参照）が鋭角となるように形成されている。ここで、ノズルユニット４２０は、便座装置本体１２に組み付けられた状態でノズル４３０やノズル４３９の進退移動の方向が水平面（ベース４２１の上面）に対して角度β傾斜するものとなっている（図３５参照）。継手４７１，４７４の角度αは、角度βと合わせて直角となる角度となっており、本実施形態では角度βを２０度、角度αを７０度とする。このため、ノズルユニット４２０（ベース４２１）が便座装置本体１２に組み付けられた状態で、継手４７１，４７４のホース接続部４７３，４７６が鉛直下向きとなるように配設することができるから、角度αが直角のものなどに比してホース接続部４７３，４７６が後方に突出する量を抑えることができる。継手４７１，４７４のパイプ接続部４７２，４７５の先端部の外周面には環状の凹溝４７２ａ，４７５ａが形成されており、この凹溝４７２ａ，４７５ａにＯリング４６４が取り付けられている。Ｏリング４６４は、パイプ接続部４７２，４７５の外周面とアウターパイプ４６２ａ，４６２ｂの内周面との間の隙間をシールするものであり、洗浄水が漏れるのを防止している。また、継手４７１，４７４のパイプ接続部４７２，４７５の凹溝４７２ａ，４７５ａの後方（ホース接続部４７３，４７６）側には、側面がアウターパイプ４６２ａ，４６２ｂの端面と当接する環状の凸部４７２ｂ，４７５ｂが形成されている。
【００５９】
図４２はホルダ４６６の側面図，正面図および上面図であり、図４３は継手４７１，４７４の回転の様子を示す説明図である。ホルダ４６６は、継手４７１，４７４のパイプ接続部４７２，４７５がそれぞれ嵌まる左右一対の切欠部４６６ｂが形成された保持部４６６ａと、保持部４６６ａの上端および下端からそれぞれ突出する上下一対の係合フック４６６ｃとにより構成されている。ホルダ４６６は、上下一対の係合フック４６６ｃが、導入口４６３の外周面における上面と下面に形成された係合爪部４６３ｂにそれぞれ係合することにより、導入口４６３に取り付けられる。また、切欠部４６６ｂは、パイプ接続部４７２，４７５の環状の凸部４７２ｂ，４７５ｂが挿通不能な内径に形成されている。ホルダ４６６は、切欠部４６６ｂから継手４７１，４７４のパイプ接続部４７２，４７５（凸部４７２ｂ，４７５ｂ）が脱落するのを防止しつつ、パイプ接続部４７２，４７５の軸回りの回転を許容するように保持している。このため、図４３に示すように、継手４７１，４７４は、互いに干渉しない範囲内で、任意の角度に回転することができる。
【００６０】
また、図４４はギヤカバー４６９の分解斜視図であり、図４５は継手４７７の回転の様子を示す説明図である。ビデ洗浄用のギヤカバー４６９では、アウターパイプ４６２ｃがギヤカバー４６９と別体に設けられており、そのアウターパイプ４６２ｃの後端部を保持すると共に洗浄水が導入される筒状の導入口４６８が後面から後方に突出するように設けられている。導入口４６８は、断面形状が略円形状に形成されており、パイプ押え４６３ａと同様に側面の一部を部分的に切り込んで形成された一対のパイプ押え４６８ａが設けられている。導入口４６３は、一対のパイプ押え４６８ａの先端側（自由端側）の内面で、アウターパイプ４６２ｃの外周面を押さえ付けることでアウターパイプ４６２ｃを保持している。また、導入口４６８の突出端側には、アウターパイプ４６２ｃの後端に接続される継手４７７と、継手４７７を保持するホルダ４６７とが設けられている。
【００６１】
継手４７７は、継手４７１，４７４と同じ形状であり、アウターパイプ４６２ｃに接続される円筒状のパイプ接続部４７８と、図示しないホースに接続される円筒状のホース接続部４７９とが屈曲するように一体成形されたものである。継手４７７は、パイプ接続部４７８の延在方向とホース接続部４７９の延在方向とのなす角度（屈曲角度）が、角度αと同じく鋭角となっている。このため、ノズルユニット４２０が便座装置本体１２に組み付けられた状態でホース接続部４７９を鉛直下向きとなるように配設して、ホース接続部４７９が後方に突出する量を抑えることができる。また、パイプ接続部４７８の環状の凹溝４７８ａにＯリング４６４が取り付けられている。ホルダ４６７は、継手４７７のパイプ接続部４７８が嵌まると共にパイプ接続部４７８の環状の凸部４７８ｂが挿通不能な内径に形成された１の切欠部４６７ｂが形成された保持部４６７ａと、保持部４６７ａの上端および下端からそれぞれ突出し導入口４６８の係合爪部４６８ｂに係合される上下一対の係合フック４６８ｃとにより構成されている。ホルダ４６７は、切欠部４６７ｂから継手４７７のパイプ接続部４７８（凸部４７８ｂ）が脱落するのを防止しつつパイプ接続部４７８の軸回りの回転を許容するように保持している。このため、図４５に示すように、継手４７７は、水平横向き（図４５（ａ）参照）や鉛直下向き（図４５（ｂ）参照）などの任意の角度に回転することができる。
【００６２】
この第４実施例では、ギヤカバー４６０の導入口４６３には、アウターパイプ４６２ａ，４６２ｂとの接続を介して導入口４６３に接続されるパイプ接続部４７２，４７５と、ホースに接続されるホース接続部４７３，４７６とを有する継手４７１，４７４が取り付けられる。継手４７１，４７４は、パイプ接続部４７２，４７５の延在方向とホース接続部４７３，４７６の延在方向とのなす角度αが鋭角となるように形成されている。同様に、ギヤカバー４６９の導入口４６８には、パイプ接続部４７８と、ホース接続部４７９とを有する継手４７７が取り付けられる。継手４７７も、パイプ接続部４７８の延在方向とホース接続部４７９の延在方向とのなす角度が鋭角となるように形成されている。したがって、ノズル３０，３９の進退移動の方向が水平方向に対して傾斜したものにおいて、パイプ接続部の延在方向とホース接続部の延在方向とのなす角度が直角となる継手を用いる場合に比して、導入口４６３，４６８から継手４７１，４７４，４７７が後方に突出する量を抑えて装置のコンパクト化を図ることができる。
【００６３】
また、第４実施例では、継手４７１，４７４は、導入口４６３に対するパイプ接続部４７２，４７５の回転を許容すると共にパイプ接続部４７２，４７５の延在方向への移動を規制するように、ホルダ４６６によって保持されている。また、継手４７７は、導入口４６８に対するパイプ接続部４７８の回転を許容すると共にパイプ接続部４７８の延在方向への移動を規制するように、ホルダ４６７によって保持されている。このため、洗浄水の供給用のホースとの接続に適した向きとなるように継手４７１，４７４，４７７の向きを自在に変更することができるから、ホースを適切に引き回して装置をコンパクトに収めることが可能となる。また、ホルダ４６６，４６７で継手４７１，４７４，４７７を保持する構成とすることで、継手４７１，４７４，４７７を導入口４６３，４６８と別体の構成としつつ、洗浄水の水圧によって継手４７１，４７４，４７７が外れるのを適切に防止することができる。継手４７１，４７４を導入口４６３と一体の構成とした場合、射出成形の際の型抜きの制約により、各継手の位置を前後にずらす必要が生じて後方への突出量が増えるからノズルユニット４２０の全長が長いものとなる。本実施例では、継手４７１，４７４，４７７を別部材として構成することで、継手の位置を前後にずらす必要がないから、装置が大型化するのを適切に防止することができる。
【００６４】
この第４実施例のノズルユニット４２０を以下のように構成してもよい。図４６は変形例のホルダ４６６ｘを含むギヤカバー４６０の分解斜視図であり、図４７は変形例のホルダ４６６ｘの側面図，正面図および上面図である。変形例のホルダ４６６ｘは、ホルダ４６６と同様に、保持部４６６ａと切欠部４６６ｂと係合フック４６６ｃとを備える。また、ホルダ４６６ｘは、ホルダ４６６と異なり、保持部４６６ａの後面から後方に突出するように形成された２つ１組の突出部４６６ｄを計２組（計４つ）有している。２組の突出部４６６ｄは、それぞれ切欠部４６６ｂの下方に配設されており、各組の左右の突出部４６６ｄの配設間隔がホース接続部４７３，４７６の外径に合わせた間隔となっている。このため、ホース接続部４７３，４７６をそれぞれ対応する組の突出部４６６ｄに嵌めるように収めることで、継手４７１，４７４の回転を規制して鉛直下向きで保持することができる。したがって、継手４７１，４７４を鉛直下向きの状態で使用する場合などに、継手４７１，４７４の向きが不必要に変わるのを抑制することができる。勿論、ホース接続部４７３，４７６が、それぞれ対応する組の突出部４６６ｄのうち外側の突出部４６６ｄを乗り越えるように回転させれば、突出部４６６ｄによる回転の規制を解除して、継手４７１，４７４を任意の向きで使用することは可能である。なお、図示は省略するが、ホルダ４６７の保持部４６７ａに、突出部４６６ｄと同様に突出部を配設してもよい。
【００６５】
また、図４８はプレート４６５を含む変形例のギヤカバー４６０の断面図であり、図４９はプレート４６５を含む変形例のギヤカバー４６０の分解斜視図であり、図５０はプレート４６５の正面図である。この変形例では、パイプ接続部４７２，４７５の各凸部４７２ｂ，４７５ｂとホルダ４６６（保持部４６６ａ）との間にプレート４６５が配設されている。プレート４６５は、例えば金属製のプレートであり、ホルダ４６６の切欠部４６６ｂと同様にパイプ接続部４７２，４７５がそれぞれ嵌まる左右一対の切欠部４６５ａが形成されている。プレート４６５が配設されることにより、ホルダ４６６の保持部４６６ａを補強することができるから、継手４７１，４７４をより確実に保持することができる。なお、プレート４６５は炭素繊維で形成されるものなどとしてもよい。また、図示は省略するが、プレート４６５を略Ｃ字状に半切するように形成された形状のプレートを、パイプ接続部４７８の凸部４７８ｂとホルダ４６７（保持部４６７ａ）との間に配設するものとしてもよい。
【００６６】
第４実施例では、継手４７１，４７４のパイプ接続部４７２，４７５とホース接続部４７３，４７６とのなす角度αと、ノズル４３０，４３９の進退移動の水平面に対する角度βとを合わせて直角としたが、これに限られず、角度αが鋭角となるように継手４７１，４７４を形成するものであればよい。継手４７７についても同様である。
【００６７】
第４実施例では、継手４７１，４７４，４７７が回転可能に保持されるものとしたが、これに限られず、回転不能に固定されるものとしてもよい。また、継手４７１，４７４が導入口４６３と別部材とされると共に継手４７７が導入口４６８と別部材とされるものとしたが、これに限られず、継手４７１，４７４が導入口４６３と一体の部材とされたり、継手４７７が導入口４６８と一体の部材とされたりしてもよい。そのようにする場合、ホルダ４６６，４６７やＯリング４６４を備えないものとすればよい。
【００６８】
［第５実施例］
次に、第５実施例について説明する。図５１〜図５４は第５実施例のノズルユニット５２０の外観斜視図であり、図５５はノズルユニット５２０の分解斜視図であり、図５６はケース５５０の半円筒部材５５２の側面図，後面図であり、図５７は図５６（ｂ）のＫ−Ｋ断面図であり、図５８は図５６（ｂ）のＬ−Ｌ断面図である。図５９はギヤカバー５６０の正面図，側面図であり、図６０は図５９（ａ）のＭ−Ｍ断面図であり、図６１は図５９（ａ）のＮ−Ｎ断面図である。また、図６２はノズルユニット５２０の側面図，後面図であり、図６３は図６０（ｂ）のＯ−Ｏ断面図であり、図６４は図６０（ｂ）のＰ−Ｐ断面図である。第５実施例のノズルユニット５２０は、第１，第２，第４実施例のノズルユニット２０，２２０，４２０などと同様に、おしり洗浄用の構成として、ノズル５３０やシリンダ５４０、ケース５５０、ギヤカバー５６０、モータ２４などを備え、ビデ洗浄用の構成として、ノズル５３９や図示しないシリンダ、ケース５５９、ギヤカバー５６９、モータ２６などを備える。ノズルユニット５２０は、これらの構成がハウジングのベース５２１に搭載されている。ノズルユニット５２０は、主にモータ２４，２６の取り付けの構成が第１，第２，第４実施例と異なる。また、シリンダ５４０の半円筒部材５４２の内周面に形成された螺旋溝５４４ａと螺旋溝５４４ａに嵌合する凸条３８とをより適切な構成としている。このため、以下では、それらを中心に説明する。
【００６９】
おしり洗浄用のケース５５０とギヤカバー５６０とは、ケース５５０（ギヤカバー固定部５５５）に設けられた係合爪部５５５ａ，５５５ｂ（図５３参照），５５５ｃ，５５５ｄ（図５４参照）のそれぞれに、ギヤカバー５６０に設けられた係合フック５６０ａ，５６０ｂ（図５３参照），５６０ｃ，５６０ｄ（図５４参照）が係合することにより、組み付けられている。なお、図５５に示すように、係合爪部５５５ａは、半円筒部材５５１とギヤカバー固定部５５５とに分かれて形成されており、半円筒部材５５１，５５２が組み合わされることにより係合フック５６０ａと係合する。係合爪部５５５ｃも同様である。係合爪部５５５ｂ，５５５ｄはギヤカバー固定部５５５に形成されている。
【００７０】
また、ギヤカバー固定部５５５には、ギヤカバー５６０と対向する内面の縁部近傍に、円柱状に形成された２つの取付ピン５５６ａ，５５６ｂが設けられている（図５６〜図５８参照）。また、ギヤカバー５６０には、ギヤカバー固定部５５５と対向する内面のうち取付ピン５５６ａ，５５６ｂに対応する位置に、円筒状に形成されて取付ピン５５６ａ，５５６ｂが嵌合可能な内径を有する筒状部５６１ａ，５６１ｂが設けられている（図５９〜図６１参照）。なお、詳細な図示は省略するが、ケース５５９のギヤカバー固定部とギヤカバー５６９とは、ケース５５９のギヤカバー固定部に設けられた係合爪部とギヤカバー５６９に設けられた係合フックとの係合により組み付けられている。また、ケース５５９のギヤカバー固定部には取付ピンが設けられ、ギヤカバー５６９には筒状部が設けられている。
【００７１】
第５実施例のモータ２４は、左右一対のフランジ２４ａに形成された取付孔２４ｂに、取付ピン５５６ａ，５５６ｂがそれぞれ挿入されることにより、ギヤカバー固定部５５５に取り付けられる。また、ギヤカバー固定部５５とギヤカバー５６０とが組み付けられると、筒状部５６１ａ，５６１ｂと取付ピン５５６ａ，５５６ｂとが嵌合し、筒状部５６１ａ，５６１ｂの先端の環状面でフランジ２４ａが押さえ付けられる。これにより、モータ２４がギヤカバー固定部５５５およびギヤカバー５６０の間に固定される（図６２〜図６４参照）。また、図示は省略するが、モータ２６も同様に、ケース５５９のギヤカバー固定部の取付ピンと、ギヤカバー５６９の筒状部とにより、ケース５５９のギヤカバー固定部およびギヤカバー５６９の間に固定される。なお、第１，第２，第４実施例などでは、フランジ２４ａの取付孔２４ｂにネジＮ（図３８参照）を挿通し、ギヤカバー固定部などに形成されたネジ孔に締結することでモータ２４を固定している。第５実施例ではネジＮを用いることなくモータ２４，２６を固定するから、部品点数を抑えてコストダウンを図ることができる。また、ネジＮを締結する作業が不要となるため、モータ２４，２６の組み付け（固定）を容易に行うことができる。また、取付ピン５５６ａ，５５６ｂが、それぞれ係合爪部５５５ｂ，５５５ｄに隣接する位置（近傍位置）に設けられており、筒状部５６１ａ，５６１ｂが、それぞれ係合フック５６０ｂ，５６０ｄに隣接する位置（近傍位置）に設けられている。このため、係合爪部５５５ｂと係合フック５６０ｂとの係合力および係合爪部５５５ｄと係合フック５６０ｄとの係合力を、筒状部５６１ａ，５６１ｂによってフランジ２４ａを押さえ付ける力に有効に利用することができるから、ネジＮを用いないものとしてもモータ２４の固定を適切に行うことができる。
【００７２】
次に、第５実施例のシリンダ５４０（半円筒部材５４１，５４２）の内周面に形成される螺旋溝５４４ａの構成について説明する。図６５は半円筒部材５４１，５４２の内周面Ａの平面図であり、図６６は半円筒部材５４１，５４２の内周面Ｂの平面図であり、図６７は半円筒部材５４１，５４２の内周面Ｃの平面図であり、図６８は螺旋溝５４４ａの角度γと負荷トルクとノズル速度とセルフロック力との関係を示す説明図である。なお、第５実施例のシリンダ５４０の内周面として、図６５〜図６７の内周面Ａ〜Ｃのいずれかが採用されているものとし、内周面Ａ〜Ｃを特に区別する必要がある場合を除いて、単に内周面という。第５実施例のノズルユニット５２０は、第１実施例のノズルユニット１２０などと同様に、モータ２４の駆動により回転したシリンダ５４０の回転運動を、ノズル５３０に設けられた凸条３８（図５５参照）とシリンダ５４０の内周面に形成された螺旋溝５４４ａとの相対移動による直線運動に変換することで、ノズル５３０を前後に進退移動させる。
【００７３】
シリンダ５４０の内周面には、周方向の一部において螺旋溝５４４ａが形成されていない非形成領域５４４ｂが軸方向の全長に亘って設けられている。即ち、螺旋溝５４４ａは、内周面の周方向の一部が軸方向の全長に亘って途切れるように形成されている。この非形成領域５４４ｂは、シリンダ５４０内に浸入した水をシリンダ５４０の傾斜により流下させて排出させる領域として利用可能である。また、半円筒部材５４１，５４２の内周面の周方向における両端部に非形成領域５４４ｂが設けられることにより、射出成形の際の型抜きをスムーズに行うことができる。
【００７４】
ここで、第５実施例では、以下のように、螺旋（螺旋溝５４４ａ）の角度と、螺旋の条数である凸条３８の数とが定められている。螺旋の角度は、シリンダ５４０の軸方向に直交する基準面に対する角度（傾斜角度，送り角度）であり、図６５〜図６７中に螺旋溝５４４ａの角度γ（γ１，γ２，γ３）として示す。この角度γが大きくなるほどシリンダ４０の１回転当りのノズル５３０の移動量が大きくなるから、図６６に示すように、角度γが大きくなるほどノズル５３０の移動速度が大きくなると共に負荷トルクが大きくなる傾向となる。また、ノズル５３０に作用するセルフロック力は、螺旋の角度γが小さくなったり角度γが大きくなったりすると大きくなり、角度γが４５°のときに最も小さくなる傾向にある。このため、例えば螺旋の角度γを３０°から６０°の間の角度とすると、凸条３８と螺旋溝５４４ａとの摺動摩擦を小さくして、負荷トルクが極端に大きくなるのを抑えると共にノズル速度が極端に遅くなるのを防止することができる。即ち、摩擦ロスを抑えてノズル５３０を効率よく進退移動させることができる。さらに、角度γを４５°前後の角度とすると、セルフロック力がより小さくなるから、例えばノズル５３０が伸びた状態で止まった場合でも使用者などが手でノズル５３０を押し込むことも可能となる。したがって、螺旋の角度γは、例えば３０°から６０°の間の角度が好ましく、より好ましくは４０°から５０°の間の角度となる。一方、凸条３８の数が少なくなると、一部が途切れた螺旋溝５４４ａと凸条３８との嵌合が不安定となってノズル５３０の進退移動時のガタツキが大きくなったり、１つの凸条３８と螺旋溝５４４ａとの摺動摩擦が大きくなって凸条３８が摩耗し易くなったりする。また、上述した非形成領域５４４ｂの周方向における幅を確保するために螺旋溝５４４ａの周方向における幅を小さくしつつノズル５３０の進退移動を安定させるためには、凸条３８の数をできるだけ増やすことが好ましい。これらのことを考慮して、少なくとも２つの凸条３８が常時螺旋溝５４４ａに嵌合するように螺旋の条数と角度γとを定めることとして、図６５〜図６７に示すような角度γを定めると共に、凸条３８の数（図示略）を定めた。図６５は螺旋（凸条３８の数）を４条として角度γを約３０°としたものを示し、図６６は螺旋を４条として角度γを約４０°としたものを示し、図６７は螺旋を６条として角度γを約４５°としたものを示す。図６５〜図６７のいずれの例でも、ノズル５３０を効率よく且つスムーズに進退移動させることができるものとなるから、いずれの例を採用してもよいが、角度γが約４５°である図６７の例が最も好ましいものとなる。
【００７５】
このように第５実施例では、螺旋溝５４４ａは、シリンダ５４０の内周面の周方向の一部で途切れるように形成されており、少なくとも２つの凸条３８が螺旋溝５４４ａに常時嵌合するように、螺旋溝５４４ａの角度γと凸条３８の数とが定められている。このため、螺旋溝５４４ａに途切れている箇所があっても凸条３８を螺旋溝５４４ａに適切に嵌合させて、ノズル５３０の進退移動を安定させることができる。なお、ノズル５４９においても同様に構成することで、同様の効果が得られるものとなる。
【００７６】
第５実施例では、ネジを用いることなくモータ２４を固定するようにケース５５０やギヤカバー５６０を構成したが、これに限られず、他の実施例と同様にネジを用いてモータ２４（２６）を固定するものなどとしてもよい。
【００７７】
第５実施例の複数の螺旋溝５４４ａのうち１の螺旋溝５４４ａの幅を他の螺旋溝５４４ａよりも広くし、複数の凸条３８のうち１の螺旋溝５４４ａと嵌合する１の凸条３８の幅を他の凸条３８よりも大きくするものなどとしてもよい。これにより、対応する１組の螺旋溝５４４ａと凸条３８とが決まるため、シリンダ５４０とノズル５３０との位相合わせを容易に行うことができる。
【００７８】
実施例では、第１実施例の変形例のノズルユニット１２０がスポンジ９０を備えるものを説明したが、これに限られず、他の実施例のノズルユニット２２０，３２０，４２０，５２０がスポンジ９０を備えるものとしてもよい。
【００７９】
実施例では、シリンダ４０（以下、シリンダ１４０，２４０，４４０，５４０を含む）を構成する２つの半円筒部材４１，４２のうち一方の半円筒部材４１に環状の回転ギヤ４５を設けるものとしたが、これに限られず、回転ギヤ４５は、半円筒部材４１，４２の周方向の端面同士が突き合わされた状態で環状をなすように半円筒部材４１，４２のそれぞれに分割して設けられるものとしてもよい。
【００８０】
実施例では、シリンダ４０の外周面に環状の外周リブ４３を形成し、ケース５０（以下、ケース５９，１５０，４５０，５５０を含む）の内周面に外周リブ４３に嵌合される環状の内周溝５３を形成するものとしたが、シリンダ４０の外周面に外周溝を形成し、ケース５０の内周面に外周溝に嵌合する内周リブを形成してもよい。リブは、必ずしも環状に形成されたものに限られず、円弧状に形成されてもよく、溝と嵌合可能であれば如何なる形状であってもよい。
【００８１】
実施例では、シリンダ４０の螺旋溝４４ａと嵌合する嵌合部としてノズル３０の後端部の外周面に複数の凸条３８を設けるものとしたが、これに限られず、ノズル３０の後端部の外周面に等角度間隔に転動可能なボールを配設するものとしてもよい。
【００８２】
実施例では、シリンダ４０と同軸に回転するようにシリンダ４０の後端部の外周面に外歯の回転ギヤ４５を設けるものとしたが、これに限られず、シリンダ４０の後端面にシリンダ４０と同軸に回転するようにフェースギヤなどの環状のかさ歯車を設け、回転軸に取り付けられる駆動ギヤがかさ歯車と噛合するようにモータを配置するものとしてもよい。
【００８３】
実施例では、シリンダ４０は、２つの半円筒部材４１，４２により形成されるものとしたが、これに限られず、単一の円筒部材により形成されてもよいし、３つ以上の円弧状に湾曲した部材により形成されてもよい。
【００８４】
第１実施例や第２実施例，第４実施例，第５実施例では、ノズル３０の２種類のノズル孔３１ａ，３１ｂをそれぞれおしりパワフル洗浄用とおしりマイルド洗浄用として用いるものとしたが、これに限られず、おしり洗浄用とビデ洗浄用として用いるものなどとしてもよい。このようにする場合、ノズルを２本備えるものに限られず、ノズルを１本のみ備えるものなどとしてもよい。
【００８５】
実施例の主要な要素と課題を解決するための手段の欄に記載した発明の主要な要素との対応関係について説明する。実施例では、螺旋溝４４ａ，２４４ａ，４４４ａ，５４４ａが「螺旋溝」に相当し、シリンダ４０，１４０，２４０，４４０，５４０が「回転体」に相当し、回転ギヤ４５が「回転ギヤ」に相当し、モータ２４が「モータ」に相当し、ノズル孔３１ａ，３１ｂが「噴出口」に相当し、ノズル本体３１（２３１，３３１）が「本体部」に相当し、凸条３８が「嵌合部」に相当し、ノズル３０（２３０，３３０，４３０，５３０）が「ノズル」に相当し、導入口６３ａ，６３ｂ（１６３ａ，１６３ｂ，２６３ａ，２６３ｂ，３６３，４６３，４６８）が「導入部」に相当し、供給路Ｓ１，Ｓ２（Ｓ）が「供給部」に相当する。また、インナーパイプ３５ａとアウターパイプ６２ａ（２６２ａ）およびインナーパイプ３５ｂとアウターパイプ６２ｂ（２６２ｂ）がそれぞれ「供給部」としての「２つのパイプ」（１組）に相当し、両者が「２組のパイプ」に相当する。スポンジ９０が「スポンジ部材」に相当する。Ｏリング３６が「シール部材」に相当する。ホース３３４が「供給部」としての「ホース」に相当する。また、パイプ接続部４７２，４７５，４７８が「第１接続部」に相当し、ホース接続部４７３，４７６，４７９が「第２接続部」に相当し、継手４７１，４７４，４７７が「継手」に相当する。ホルダ４６６，４６７が「保持部材」に相当する。
【００８６】
なお、本実施例の主要な要素と課題を解決するための手段の欄に記載した発明の主要な要素との対応関係は、本実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施例は課題を解決するための手段の欄に記載した発明の具体的な一例に過ぎないものである。
【００８７】
以上、本発明を実施するための形態について説明したが、本発明はこうした実施例に何等限定されるものではなく、本発明の要旨を逸脱しない範囲内において、種々なる形態で実施し得ることは勿論である。
【産業上の利用可能性】
【００８８】
本発明は、局部洗浄装置の製造産業などに利用可能である。
【符号の説明】
【００８９】
１  便器、１０  衛生洗浄便座装置、１２  便座装置本体、１３  着座センサ、１４  便座、１６  便蓋、１８  操作パネル、２０，１２０，２２０，３２０，４２０，５２０  ノズルユニット、２４，２６  モータ、２４ａ  フランジ、２４ｂ  取付孔、２５  駆動ギヤ、３０，３９，２３０，２３９，３３０，３３９，４３０，４３９，５３０，５３９  ノズル、３１，２３１，３３１  ノズル本体、３１ａ，３１ｂ  ノズル孔、３２ａ，３２ｂ  本体内流路、３３，２３３  ノズルカバー、３３ａ，３３ｂ  連通孔、３３ｃ  ガイド溝、３５ａ，３５ｂ  インナーパイプ、３６，４６４  Ｏリング、３７，２３７，３３７  ノズルテール、３８  凸条、４０，１４０，２４０，４４０，５４０  シリンダ、４１，４２，１４１，１４２，２４１，２４２，４４１，４４２，５４１，５４２  半円筒部材、４３  外周リブ、４４，２４４，４４４，５４４，  内周リブ、４４ａ，２４４ａ，４４４ａ，５４４ａ  螺旋溝、４５  回転ギヤ、５０，５９，１５０，４５０，４５９，５５０，５５９  ケース、５１，５２，１５１，１５２，５５１，５５２  半円筒部材、５３  内周溝、５４  ガイドリブ、５５，５５５  ギヤカバー固定部、６０，６９，１６０，２６０，２６９，３６０，３６９，４６０，４６９，５６０，５６９  ギヤカバー、６２ａ，６２ｂ，２６２ａ，２６２ｂ，４６２ａ，４６２ｂ，４６２ｃ  アウターパイプ、６３ａ，６３ｂ，１６３ａ，１６３ｂ，２６３ａ，２６３ｂ，３６３，４６３，４６８  導入口、７０，２７０  切替バルブ、７２  切替モータ、７３，７５，４７１，４７４，４７７  継手、８０，８１，２８０  ノズル洗浄器、８２，８３，２８２  ホース、９０  スポンジ、１４６  固定爪、１５７  通水口、１５８  内周リブ、２２１，４２１，５２１  ベース、２３４  インナーノズル、２６１  保持部、２６１ａ，２６１ｂ  窪み部、２７３，２７４，２７５，３３４  ホース、３３２  給水口、３６４  接続口、４６３ａ，４６８ａ  パイプ押え、４６３ｂ，４６８ｂ  係合爪部、４６５  プレート、４６５ａ  切欠部、４６６，４６６ｘ，４６７  ホルダ、４６６ａ，４６７ａ  保持部、４６６ｂ，４６７ｂ  切欠部、４６６ｃ，４６７ｃ  係合フック、４６６ｄ  突出部、４７１，４７４，４７７  継手、４７２，４７５，４７８  パイプ接続部、４７２ａ，４７５ａ，４７８ａ  凹溝、４７２ｂ，４７５ｂ，４７８ｂ  凸部、４７３，４７６，４７９  ホース接続部、５４４ｂ  非形成領域、５５５ａ，５５５ｂ，５５５ｃ，５５５ｄ  係合爪部、５５６ａ，５５６ｂ  取付ピン、５６０ａ，５６０ｂ，５６０ｃ，５６０ｄ  係合フック、５６１ａ，５６１ｂ  筒状部、Ｎ  ネジ、Ｓ，Ｓ１，Ｓ２  供給路。
【図１】
2019190264.tif 000003
【図２】
2019190264.tif 000004
【図３】
2019190264.tif 000005
【図４】
2019190264.tif 000006
【図５】
2019190264.tif 000007
【図６】
2019190264.tif 000008
【図７】
2019190264.tif 000009
【図８】
2019190264.tif 000010
【図９】
2019190264.tif 000011
【図１０】
2019190264.tif 000012
【図１１】
2019190264.tif 000013
【図１２】
2019190264.tif 000014
【図１３】
2019190264.tif 000015
【図１４】
2019190264.tif 000016
【図１５】
2019190264.tif 000017
【図１６】
2019190264.tif 000018
【図１７】
2019190264.tif 000019
【図１８】
2019190264.tif 000020
【図１９】
2019190264.tif 000021
【図２０】
2019190264.tif 000022
【図２１】
2019190264.tif 000023
【図２２】
2019190264.tif 000024
【図２３】
2019190264.tif 000025
【図２４】
2019190264.tif 000026
【図２５】
2019190264.tif 000027
【図２６】
2019190264.tif 000028
【図２７】
2019190264.tif 000029
【図２８】
2019190264.tif 000030
【図２９】
2019190264.tif 000031
【図３０】
2019190264.tif 000032
【図３１】
2019190264.tif 000033
【図３２】
2019190264.tif 000034
【図３３】
2019190264.tif 000035
【図３４】
2019190264.tif 000036
【図３５】
2019190264.tif 000037
【図３６】
2019190264.tif 000038
【図３７】
2019190264.tif 000039
【図３８】
2019190264.tif 000040
【図３９】
2019190264.tif 000041
【図４０】
2019190264.tif 000042
【図４１】
2019190264.tif 000043
【図４２】
2019190264.tif 000044
【図４３】
2019190264.tif 000045
【図４４】
2019190264.tif 000046
【図４５】
2019190264.tif 000047
【図４６】
2019190264.tif 000048
【図４７】
2019190264.tif 000049
【図４８】
2019190264.tif 000050
【図４９】
2019190264.tif 000051
【図５０】
2019190264.tif 000052
【図５１】
2019190264.tif 000053
【図５２】
2019190264.tif 000054
【図５３】
2019190264.tif 000055
【図５４】
2019190264.tif 000056
【図５５】
2019190264.tif 000057
【図５６】
2019190264.tif 000058
【図５７】
2019190264.tif 000059
【図５８】
2019190264.tif 000060
【図５９】
2019190264.tif 000061
【図６０】
2019190264.tif 000062
【図６１】
2019190264.tif 000063
【図６２】
2019190264.tif 000064
【図６３】
2019190264.tif 000065
【図６４】
2019190264.tif 000066
【図６５】
2019190264.tif 000067
【図６６】
2019190264.tif 000068
【図６７】
2019190264.tif 000069
【図６８】
2019190264.tif 000070